(57)【要約】【課題】水平方向の排出機構とモニタ平面方向の回転機構を合わせることにより、排出ストロークをモニタサイズに合わせて長くすることなく、モニタパネルを筺体から抜き出すことが可能なディスプレイ装置を提供する。【解決手段】  ディスプレイ装置１は、筐体２と、この筐体２に収納されるモニタパネル３とを備え、このモニタパネル３は、縦短寸及び横長寸の例えばアスペクト比１６：９の大型ワイドパネルであり、筐体２に対しては、モニタ側を下方向で長辺を奥行き方向にして水平状態で収納されている。また、モニタパネル３は、筐体２に対して、スライド機構部４、モニタパネル回転機構部５及びチルト機構部６によってスライド及び回転可能に接続されている。【選択図】図１
2005335592.tif 000002
【特許請求の範囲】
【請求項１】
筐体内にディスプレイ部を収納可能なディスプレイ装置において、
前記筐体からディスプレイ部を長辺方向に排出及び収納させるスライド手段と、
前記ディスプレイ部の排出時に、ディスプレイ部を水平方向に略９０度回動させる回動手段と、
前記ディスプレイ部を回動させた後、前記ディスプレイ部を垂直方向に立ち上げるチルト手段とを備えたことを特徴とするディスプレイ装置。
【請求項２】
前記スライド手段は、前記筐体から前記ディスプレイ部のすべてを排出せず、前記回動手段による前記ディスプレイ部の回動の際に前記ディスプレイ部の奥側端部が前記筐体に接触しない範囲で前記ディスプレイ部の一部を筐体内に残すように構成されたことを特徴とする請求項１記載のディスプレイ装置。
【請求項３】
筐体内に収納された前記ディスプレイ部の奥側左右端部の少なくとも一方には、前記回動手段による前記ディスプレイ部回動の際に前記ディスプレイ部の奥側端部が前記筐体に接触しないように切欠部が設けられていることを特徴とする請求項１または２記載のディスプレイ装置。
【発明の詳細な説明】
【技術分野】
【０００１】
本発明は、ディスプレイ装置に関するものであって、特に、縦横比の異なるモニタを装置を大型化させることなく筐体内に引出し自在に収納する技術に関する。
【背景技術】
【０００２】
近年、ナビゲーション装置をはじめとした車載用装置に用いられるモニタは、視認性やタッチパネルとしての操作性の向上を図るべく、大型化しており、アスペクト比が１６：９の大型ワイド画面が主流となっている。
【０００３】
このような大型ワイド画面は、従来のアスペクト比４：３のノーマルモニタに比べて、幅方向のスペースを要するため、モニタパネルＭ収納時には、図５に示すように、パネルを縦向きの長辺が奥行き方向となるようにし、使用時にはこれを筺体内から水平方向に排出した後、垂直方向に立ち上げ、さらにそこから通常の使用状態である横向きに回転させるなどの工夫が必要である（例えば、下記特許文献１参照）。
【特許文献１】特開平１１−３０８５５３号公報
【発明の開示】
【発明が解決しようとする課題】
【０００４】
ところで、このようなモニタパネルＭは、それが車室内方向へ突出することを考慮すると、可能な限りこの水平方向の排出ストローク、すなわち、モニタパネルＭのスライド量を少なくする必要がある。
【０００５】
しかしながら、上記の従来技術においては、モニタパネルＭを筐体から引き出して使用するには、横長寸を奥行き方向として収納されたモニタパネルＭを完全に排出した後にモニタを立ち上げ、回転させるという動作順序であるため、例えば図６に示すように、モニタが大型化するほどにモニタパネルＭのスライド量を長くとる必要があった（図６（ａ）参照）。
【０００６】
一方で、大型化したモニタパネルＭを、小さいモニタパネル（図６（ａ）参照）のスライド量に収めようとすれば、モニタパネルＭを立ち上げる際にパネルが筐体に衝突してしまう（図６（ｂ）参照）。したがって、実際にはモニタパネルＭの大きさが大きくなればなるほど、モニタパネルＭは車室内方向へ突出し、小さいサイズのモニタパネルＭとのスライド量の差Ｓは大きくなってしまう（図６（ｃ）参照）。このようなことから、従来の機構においてはワイドパネルで７インチ程度までしか対応できないため、スライド量を抑えつつ、大型ワイドパネルを採用可能なディスプレイ装置が望まれていた。
【０００７】
本発明は上記のような従来技術の課題を改善するために提案されたものであって、その目的は、モニタパネルの長寸が筺体幅を超える大型モニタを筺体から抜き出すための機構として、水平方向の排出機構とモニタ平面方向の回転機構を合わせることにより、排出ストロークをモニタサイズに合わせて長くすることなく、モニタパネルを筺体から抜き出すことを可能とするディスプレイ装置を提供することにある。
【課題を解決するための手段】
【０００８】
上記の目的を達成するため、請求項１の発明は、筐体内にディスプレイ部を収納可能なディスプレイ装置において、前記筐体からディスプレイ部を長辺方向に排出及び収納させるスライド手段と、前記ディスプレイ部の排出時に、ディスプレイ部を水平方向に略９０度回動させる回動手段と、前記ディスプレイ部を回動させた後、前記ディスプレイ部を垂直方向に立ち上げるチルト手段とを備えたことを特徴とする。
【０００９】
以上のような態様では、スライド手段とチルト手段の間に設けられた回動手段によって、平面上でディスプレイ部を回転させることができるので、スライド手段においては、筐体内からディスプレイ部を完全に排出せずに、奥側の端部を筐体内に残した状態でも回動手段を作用させることができるようになる。
【００１０】
請求項２の発明は、請求項１記載の発明において、前記スライド手段は、前記筐体から前記ディスプレイ部のすべてを排出せず、前記回動手段による前記ディスプレイ部の回動の際に前記ディスプレイ部の奥側端部が前記筐体に接触しない範囲で前記ディスプレイ部の一部を筐体内に残すように構成されたことを特徴とする。
【００１１】
以上のような態様では、ディスプレイ部の奥側端部が筐体に接触しない範囲でディスプレイ部の一部を筐体内に残すことによって、スライド手段におけるスライド量はディスプレイ部の大きさに伴って増えることなく、例えばワイド７インチモニタ相当でワイド８インチモニタを収納することが可能となる。その結果、車載インダッシュ取り付け型映像機器としてワイド７インチを超えるサイズのモニタを収納することが容易となる。
【００１２】
請求項３の発明は、請求項１または２記載の発明において、筐体内に収納された前記ディスプレイ部の奥側左右端部の少なくとも一方には、前記回動手段による前記ディスプレイ部回動の際に前記ディスプレイ部の奥側端部が前記筐体に接触しないように切欠部が設けられていることを特徴とする。
【００１３】
以上のような態様では、ディスプレイ部の奥側端部左右の少なくとも一方には切欠部が設けられているため、スライド手段で筐体内からディスプレイ部を完全に排出せずに奥側の端部を筐体内に残して回動手段を作用させたとしても、ディスプレイ部の奥側端部が筐体等に接触することを防ぐことができる。
【発明の効果】
【００１４】
以上のように、本発明によれば、モニタパネルの長寸が筺体幅を超える大型モニタを筺体から抜き出すための機構として、水平方向の排出機構とモニタ平面方向の回転機構を合わせることにより、排出ストロークをモニタサイズに合わせて長くすることなく、モニタパネルを筺体から抜き出すことが可能となる。
【発明を実施するための最良の形態】
【００１５】
次に、本発明を実施するための最良の形態（以下、本実施形態という。）について、図面を参照して具体的に説明する。
【００１６】
〔１．構成〕
〔１−１．概要〕
まず、本実施形態におけるディスプレイ装置１の概要を説明する。図１に示すように、ディスプレイ装置１は、筐体２と、この筐体２に収納されるモニタパネル３とを備え、このモニタパネル３は、縦短寸及び横長寸の例えばアスペクト比１６：９の大型ワイドパネルであり、筐体２に対しては、モニタ側を下方向で長辺を奥行き方向にして水平状態で収納されている。
【００１７】
また、モニタパネル３は、図１に示すように、筐体２の奥側左右端部に切欠部３ｂを備えている。これは、後述するモニタパネル回転機構部５によりモニタパネル３が平面状を回転する場合において、モニタパネル３の奥側端部が筐体２等に接触しないために設けられたものであって、接触しない範囲であれば、その形状は自由であり、また、筐体２の奥側端部のいずれか一方にのみ設けてもよい。
【００１８】
ここで、モニタパネル３は、筐体２に対して、スライド機構部４（図２参照）、モニタパネル回転機構部５（図３参照）及びチルト機構部６（図４参照）によってスライド及び回転可能に接続されている。すなわち、このスライド機構部４は、図１（ｂ）に示すように、筐体２からモニタパネル３を水平方向にスライドさせる手段であり、モニタパネル回転機構部５は、同図（ｃ）に示すように、水平方向に引き出されたモニタパネル３を平面方向に９０度回転させ、通常の使用方向、つまり横方向を長辺に、縦（筐体２の奥行き）方向を短辺の状態にする手段である。また、チルト機構部６は、同図（ｄ）に示すように、このような状態のモニタパネル３を、モニタ３ａが正面側となるように立ち上げる手段である。
【００１９】
なお、これらスライド機構部４、モニタパネル回転機構部５及びチルト機構部６によるモニタパネル３の引出し及び収納動作は、装置に設けられたスイッチやリモコン等を介したユーザによる動作開始指示あるいは車両のエンジンスタートやカーナビゲーション装置等の誘導案内開始等、何らかの指示により、図示しないモータ等が駆動して作用することを想定しているが、このような態様に限らず、ユーザの手動により作用するようにしても良い。
【００２０】
〔１−２．各部の詳細な構成〕
次に、スライド機構部４、モニタパネル回転機構部５及びチルト機構部６の詳細な構成について説明する。
【００２１】
(1) スライド機構部
上述の通り、スライド機構部４は、筐体２からモニタパネル３を水平方向にスライドさせる手段である。図２の側面図（ａ）及び正面図（ｂ）に示すように、スライド機構部４は、モニタパネル３背面側（モニタ３ａと反対の面）であって、筐体２内部にスライド動作できるように取り付けられている。より具体的には、スライド機構部４は、チルト機構部６を介して回転機構部５及びモニタパネル３が取り付けられているスライドベース４０と、スライドベース４０の左右両側に設けられスライドベース４０のスライドをガイドするガイドレール４１と、このガイドレール４１に対してスライドベース４０をスライド自在にするスライダ４２とからなる。
【００２２】
ガイドレール４１は、筐体２内部の奥行き方向に渡って設けられたＬ字状のレールである。一方、スライダ４２は、スライドべース４０の奥側左右端部に設けられるとともに、ガイドレール４１に対して筐体２奥行き方向にスライド可能に嵌合されている。すなわち、このスライダ４２は、モニタパネル３の収納時には、ガイドレール４１上の筐体２最奥部分に位置し（図２（ｃ）参照）、モニタパネル３の使用時には、筐体２の出口側端部に位置するように構成されている（図２（ｄ）参照）。なお、スライダ４２がこのように筐体２の出口側端部に位置している状態であっても、図２（ｄ）に示すように、モニタパネル３の奥側の一部は、筐体２内部から完全には引き出されていない状態となる。
【００２３】
次に、スライド機構部４のスライド駆動について説明する。スライドベース４０には、これをスライドさせる原動力となるモータ４３が正面右側（図２（ｂ）〜（ｄ）では上側）に取り付けられ、さらにこのモータ４３にウォームギア４４、ギア４５〜４８及びピニオンギア４９が取り付けられている。そして、ウォームギア４４の動力がギア４５〜４８を経て徐々に減速されてピニオンギア４９に伝達され、このピニオンギア４９が筐体２の天井部分には奥行き方向に渡って設けられたラックギア２ａと噛み合って、スライドベース４０が筐体２の奥行き方向にスライドするように構成されている。
【００２４】
(2) モニタパネル回転機構部
モニタパネル回転機構部５は、上記のようにして筐体２から引き出されたモニタパネル３を平面方向に９０度回転させ、通常の使用方向、つまり横方向を長辺に、縦（筐体２の奥行き）方向を短辺の状態にする手段である。図３の側面図（ａ）及び平面図（ｂ）に示すように、モニタパネル回転機構部５は、スライドベース４０とモニタパネル３との接続部分に設けられたモニタプレート５１と、このモニタプレート５１に軸支されつつモニタプレート５１を挟んで、モニタパネル３を支持するモニタ取付板５２と後述するギアの駆動を受け回転するプレートギア５３とを備える。
【００２５】
モニタ取付板５２は、これらの間に挟まれたモニタプレート５１を貫通する３箇所のシャフト５２ａ、５２ｂ、５２ｃによりプレートギア５３と係止している。すなわち、後述するギアの駆動によりプレートギア５３が回転すると、それと同期してモニタ取付板５２も回転する。そして、このモニタ取付板５２に固定されたモニタパネル３も回転するように構成されている。
【００２６】
次に、モニタパネル回転機構部５の回転駆動について説明する。すなわち、モニタプレート５１には、ウォームギア５５を備えたモータ５４が設けられており、このウォームギア５５から徐々に減速しながら動力を伝達するギア５６〜５８を設けられ、最終段でプレートギア５３が回転するように構成されている。このプレートギア５３の回転により、図３（ｃ）に示すように、モニタパネル３が平面上を９０度回転した状態となる。
【００２７】
(3) チルト機構部
チルト機構部６は、このような状態のモニタパネル３を、モニタ３ａが正面側となるように立ち上げる手段である。図４の平面図（ａ）及び側面図（ｂ）に示すとおり、チルト機構部６は、モニタプレート５１の回転中心軸としてスライドベース４０とモニタプレート５１を軸支するギア３０と、スライドベース４０に取り付けられたモータ６０、このモータ６０に直接接続されたウォームギア６１及びギア６２〜６９を備える。
【００２８】
チルト機構部６は、このモータ６０の動力がウォームギア６１からギア６２〜６８に徐々に減速しながら伝達され、ギア６８がギア６９に噛み合ってモニタプレート５１を回転させるように駆動する。そして、このモニタプレート５１が回転することによって、図４（ｃ）に示すように、モニタパネル３が使用状態である垂直方向に立ち上がるようになっている。
【００２９】
〔作用〕
上記のような構成のディスプレイ装置１は、本装置に設けられたスイッチやリモコン等を用いたユーザによる動作開始指示あるいは車両のエンジンスタートやカーナビゲーション装置等の誘導案内開始等の指示により、動作を開始する。
【００３０】
まず、スライド機構部４が、筐体２に対してモニタ側を下方向で長辺を奥行き方向にして水平状態で収納されたモニタパネル３を、水平方向にスライドさせ、モニタパネル３を引き出す。より具体的には、図２の平面図（ｃ）及び（ｄ）に示すように、モニタパネル３背面側（モニタ３ａと反対の面）に取り付けられたスライド機構部４は、スライドベース４０に取り付けられたモータ４３が回転することにより、ウォームギア４４が回転し、さらにギア４５〜４８及びピニオンギア４９が徐々に減速されながらこの動力が伝達する。そして、ピニオンギア４９が筐体２の天井部分には奥行き方向に渡って設けられたラックギア２ａと噛み合って、スライドベース４０が筐体２の正面側（車室内方向）に向かってにスライドする。
【００３１】
その際、スライドベース４０は、この左右両側に設けられスライダ４２を介してガイドレール４１をスライドする。また、スライダ４２は、ガイドレール４１上の筐体２最奥部分から（図２（ｃ）参照）、筐体２の出口側端部まで移動する（図２（ｄ）参照）。なお、スライダ４２がこのように筐体２の出口側端部に位置している状態であっても、図２（ｄ）に示すように、モニタパネル３の奥側の一部は、筐体２内部から完全には引き出されない。
【００３２】
次に、モニタパネル回転機構部５が作用し、筐体２から引き出されたモニタパネル３を平面方向に９０度回転させ、通常の使用方向、つまり横方向を長辺に、縦（筐体２の奥行き）方向を短辺の状態にする。具体的には、図３の側面図（ａ）及び平面図（ｂ）に示すように、モニタプレート５１に設けられたモータ５４が回転することによりウォームギア５５が回転し、この動力が徐々に減速しながらギア５６〜５８に伝達され、最終段でプレートギア５３が回転する。
【００３３】
このプレートギア５３の回転により、モニタプレート５１を介してこれを貫通する３箇所のシャフト５２ａ、５２ｂ、５２ｃにより係止されたモニタ取付板５２が回転し、これによって、図３（ｃ）に示すように、モニタパネル３が平面上を９０度回転する。この際、上記の通りモニタパネル３の奥側の一部は、筐体２内部から完全には引き出されていない状態であるが、モニタパネル３の奥側左右端部には切欠部３ｂが設けられているため、このような状態でモニタパネル３を回転させてもパネルの角が筐体２等に接触することはない。
【００３４】
次に、チルト機構部６が作用して、上記のように平面上に突出した状態のモニタパネル３をモニタ３ａが正面側となるように立ち上げる。すなわち、図４の平面図（ａ）及び側面図（ｂ）に示すとおり、スライドベース４０に取り付けられたモータ６０が回転することにより、これに直接接続されたウォームギア６１が回転し、この動力がギア６２〜６８を経て徐々に減速しながら伝達される。
【００３５】
そして、ギア６８がギア６９に噛み合ってモニタプレート５１を回転させるように駆動する。そして、このモニタプレート５１が回転することによって、図４（ｃ）に示すように、モニタパネル３が使用状態である垂直方向に立ち上がる。
【００３６】
なお、収納時には上記と反対に、チルト機構部６、モニタパネル回転機構部５、スライド機構部４の順に作用することによって、モニタパネル３は収納されることとなる。
【００３７】
〔効果〕
以上のように作用する本実施形態のディスプレイ装置では、スライド機構とチルト機構の間に設けられたモニタパネル回転機構によって、平面上でモニタパネルを回転させることができるので、スライド機構においては、図２（ｄ）に示すように、筐体内からモニタパネルを完全に排出せずに、奥側の端部を筐体内に残した状態でもモニタパネル回転機構及びチルト機構を作用させることができる。したがって、スライド機構におけるスライド量は、例えばワイド７インチモニタ相当でワイド８インチモニタを収納することが可能になり、その結果、車載インダッシュ取り付け型映像機器としてワイド７インチを超えるサイズのモニタを収納することが容易となる。
【００３８】
また、モニタパネルの奥側端部左右には切欠部が設けられているため、上述のように、スライド機構で筐体内からモニタパネルを完全に排出せずに奥側の端部を筐体内に残してモニタパネル回転機構を作用させたとしても、モニタパネルの角部が筐体等に接触することを防ぐことができる。
【００３９】
〔他の実施形態〕
本発明は、上記実施形態に限定されるものではなく、以下に例示するもの及びそれ以外のものを含む他の実施形態も含むものである。スライド機構、モニタパネル回転機構及びチルト機構の構成について、本発明を実現しうる最良の態様を例示したものであり、モニタパネルを筐体内から引出し、回転させ、立ち上げる作用を実現する機構であれば周知のあらゆる技術を適用可能である。
【００４０】
また、上記実施形態において、スライド機構、モニタパネル回転機構及びチルト機構は、装置に設けられたスイッチやリモコン等を用いたユーザによる動作開始指示あるいは車両のエンジンスタートやカーナビゲーション装置等の誘導案内開始等の指示によってモータが駆動することにより行われるものとしているが、これに限られず、手動で行うように構成すること、あるいは電動又は手動を選択的に実行することも可能である。
【図面の簡単な説明】
【００４１】
【図１】本発明の実施形態の構成を示す斜視概念図。
【図２】本発明の実施形態のスライド手段を示す図。
【図３】本発明の実施形態の回動手段を示す図。
【図４】本発明の実施形態にチルト手段を示す図。
【図５】従来のディスプレイ装置の構成を示す斜視概念図。
【図６】従来のディスプレイ装置の課題を示す模式図。
【符号の説明】
【００４２】
１…ディスプレイ装置
２…筐体
２ａ…ラックギア
３…モニタパネル
３ａ…モニタ
３ｂ…切欠部
４…スライド機構部
５…モニタパネル回転機構部
６…チルト機構部
３０，４５〜４８，５６〜５８，６２〜６９…ギア
４０…スライドベース
４１…ガイドレール
４９…ピニオンギア
４２…スライダ
４３，５４，６０…モータ
４４，５５，６１…ウォームギア
５１…モニタプレート
５２…モニタ取付板
５２ａ…シャフト
５３…プレートギア
【図１】
2005335592.tif 000003
【図２】
2005335592.tif 000004
【図３】
2005335592.tif 000005
【図４】
2005335592.tif 000006
【図５】
2005335592.tif 000007
【図６】
2005335592.tif 000008